(57)【要約】【課題】マグネットの磁力をディスクチャッキング部材の中央部に集中させて安定したチャッキング力を得る。【解決手段】ディスクカートリッジ１は、センター孔を有するディスク３を回転可能に収納したカートリッジ筐体２を構成する下シェル２２に記録再生のための開口部６を設け、上シェル２１と前記ディスク３の間にディスクチャッキング部材７を配置し、記録再生装置への装着時に前記ディスクのセンター孔及びディスクチャッキング部材７の中央部に設けた凹部７３に記録再生装置のターンテーブル２０１の中央部の軸部２０２を挿入し、前記チャッキング部材７を前記ターンテーブルに設けたマグネット２０３で吸着して前記ターンテーブル上にディスクをチャッキングするようになっている。前記チャッキング部材７は、合成樹脂製の金属板ホルダー７１と、該金属板ホルダーの中央部に取付けられた磁性金属板７２と、で構成されている。【選択図】  図１３
2004348885.tif 000002
【特許請求の範囲】
【請求項１】
中央部にセンター孔を有するディスクを回転可能に収納したカートリッジ筐体を構成する上下シェルの一方のシェルに記録再生のための開口部を設け、他方のシェルと前記ディスクの間にディスクチャッキング部材を配置し、記録再生装置への装着時に前記ディスクのセンター孔に記録再生装置のターンテーブルの中央部の軸部を挿入し、前記チャッキング部材を前記ターンテーブルに設けたマグネットで吸着して前記ターンテーブル上にディスクをチャッキングするディスクカートリッジにおいて、
前記チャッキング部材は、合成樹脂製の金属板ホルダーと、該金属板ホルダーの中央部に取付けられた磁性金属板と、で構成されていることを特徴とするディスクカートリッジ。
【請求項２】
請求項１において、
前記磁性金属板は、前記合成樹脂製の金属板ホルダーに対して膨張収縮可能に取付けられていることを特徴とするディスクカートリッジ。
【請求項３】
請求項１において、
前記合成樹脂製の金属板ホルダーは、中央部に記録再生装置のターンテーブルの軸部の先端部を挿入する凹部を備え、該凹部の外周部にシェルに設けたディスクの上面を押さえるディスク押圧部を備え、該ディスク押圧部の外周部にチャッキング部材支持部に係合するフランジ部を備え、
前記磁性金属板は、前記合成樹脂製の金属板ホルダーの凹部よりも大径で、ディスク押圧部よりも小径に形成されていることを特徴とするディスクカートリッジ。
【請求項４】
請求項１において、
前記合成樹脂製の金属板ホルダーは、記録再生装置のターンテーブルの軸部の先端部を挿入する凹部の中央部に磁性金属板の底面が臨む孔部を有し、
前記磁性金属板は、前記孔部を形成する円筒部の先端のディスク支持面で支持され、該ディスク支持面よりも外側において、合成樹脂製の金属板ホルダーに結合部で結合されていることを特徴とするディスクカートリッジ。
【請求項５】
請求項４において、
前記結合部は、前記ディスク支持面よりも低い位置に形成されていることを特徴とするディスクカートリッジ。
【請求項６】
請求項４において、
前記合成樹脂製の金属板ホルダーは、前記ディスク支持面に支持され、前記結合部により結合された磁性金属板の外側に、該磁性金属板を囲むように配置された環状の突起を備えていることを特徴とするディスクカートリッジ。
【発明の詳細な説明】
【０００１】
【発明の属する技術分野】
本発明は、光ディスクや光磁気ディスク、磁気ディスク等のディスク（以下、単にディスクと称する）がカートリッジ筐体内に回転自在に収納されたディスクカートリッジ、特に、ディスクをディスクチャッキング部材で情報記録及び／又は再生装置（以下、情報記録再生装置という）のターンテーブル上にマグネットチャッキングする方式のディスクカートリッジに関するものである。
【０００２】
【従来の技術】
図３３、図３４に示すように、中央部にセンター孔１０１を有するディスク１０２を回転可能に収納したカートリッジ筐体１０３を構成する上下シェル１０４，１０５の一方のシェル１０５に記録再生のための開口部１０６を設け、他方のシェル１０４と前記ディスク１０２の間にディスクチャッキング部材１０７を配置し、記録再生装置への装着時に前記ディスク１０２のセンター孔１０１に記録再生装置のターンテーブル２０１の中央部の軸部２０２の先端部を挿入し、所謂センタリングした状態で前記ディスクチャッキング部材１０７を前記ターンテーブル２０１に設けたマグネット２０３で吸着してディスク１０２をターンテーブル２０１のディスク載置部２０４上にチャッキングするようにしたディスクカートリッジが知られている。１０８は、前記ディスクチャッキング部材１０７を上シェル１０４側に支持しているチャッキング部材支持部である。
【０００３】
前記ディスクチャッキング部材１０７は、中央部に前記ターンテーブル２０１の中央部の軸部２０２の先端部を挿入する凹部１０７ａを備え、該凹部１０７ａの外周部に前記ディスク１０２の上面を押さえるディスク押圧部１０７ｂを備え、該ディスク押圧部１０７ｂの外周部に前記チャッキング部材支持部１０８に係合するフランジ部１０７ｃを備えている。
【０００４】
前記ディスクチャッキング部材１０７は、ステンレススチール等の磁性金属板にプレス加工を施すことにより、前記凹部１０７ａ、ディスク押圧部１０７ｂ、フランジ部１０７ｃが一体に形成されている。
（例えば特許文献１参照）
【０００５】
【特許文献１】
特開２００３−９１９５５号公報
【０００６】
【発明が解決しようとする課題】
ところで、前記従来のディスクカートリッジにあっては、上述したように、ステンレススチール等の磁性金属板にプレス加工を施すことによりディスクチャッキング部材１０７を形成していたために、次に述べるような問題点があった。
（１）前記ターンテーブル２０１の中央部の軸部２０２の先端部を挿入する凹部１０７ａをプレス加工により形成する際に、該凹部１０７ａの内周面１０７ｄに所謂肌荒れ等の表面変化が発生し、ターンテーブル２０１の中央部の軸部２０２の先端部を円滑に挿入することができない場合がある。また、前記凹部１０７ａが設計通りに折り曲げられずにターンテーブル２０１の中央部の軸部２０２の先端部を挿入した場合に、凹部１０７ａの内周面との間に隙間（ガタ）が発生し、ディスク１０２を高速回転させた時に、回転ムラが発生し、記録や再生に悪影響を及ぼす。
（２）ディスクチャッキング部材１０７全体がステンレススチール等の磁性金属板によって形成されているために、ディスクチャッキング部材１０７の重量が大になる。また、前記凹部１０７ａはもとより、ディスク押圧部１０７ｂ及びフランジ部１０７ｃにまで、ターンテーブル２０１のマグネット２０３の磁力が作用するため、マグネット２０３によるチャッキング力が分散され、安定したチャッキング力を得られない。
【０００７】
本発明の目的は、ターンテーブルの中央部の軸部の先端部をディスクチャッキング部材の中央の凹部に円滑に挿入することのできるディスクカートリッジを提供することにある。
【０００８】
また、本発明の他の目的は、マグネットの磁力をディスクチャッキング部材の中央部に集中させて安定したチャッキング力を得ることのできるディスクカートリッジを提供することにある。
【０００９】
【課題を解決するための手段】
本発明は、中央部にセンター孔を有するディスクを回転可能に収納したカートリッジ筐体を構成する上下シェルの一方のシェルに記録再生のための開口部を設け、他方のシェルと前記ディスクの間にディスクチャッキング部材を配置し、記録再生装置への装着時に前記ディスクのセンター孔及びディスクチャッキング部材の中央部に設けた凹部に記録再生装置のターンテーブルの中央部の軸部を挿入し、前記チャッキング部材を前記ターンテーブルに設けたマグネットで吸着して前記ターンテーブル上にディスクをチャッキングするディスクカートリッジにおいて、
前記チャッキング部材を、合成樹脂製の金属板ホルダーと、該金属板ホルダーの中央部に取付けられた磁性金属板と、で構成し、
前記合成樹脂製の金属板ホルダーに前記ターンテーブルの中央部の軸部の先端部を挿入する凹部やディスク押圧部及びフランジ部を設けると共に、前記金属板ホルダーの中央部に取付けた磁性金属板をターンテーブルに設けたマグネットで吸着する構成にした。
【００１０】
【発明の実施の形態】
以下、本発明のディスクカートリッジを、（１）ディスクカートリッジの概略構成、（２）ディスクチャッキング部材及びディスクチャッキング部材支持部の構成、（３）カートリッジ筐体の構成、（４）ディスクの構成、（５）インナーロータの構成、（６）シャッタの構成、（７）作用、（８）他の実施例、の各項に分けて順に説明する。
【００１１】
（１）ディスクカートリッジの概略構成
図１はディスクカートリッジを上シェル側から見た斜視図、図２は分解斜視図、図３は下シェル側から見たシャッタ開状態の斜視図、図４は分解斜視図である。
【００１２】
図１〜図４に示すように、ディスクカートリッジ１は、カートリッジ筐体２内に、ディスク３と、インナーロータ４と、シャッタ５とを収納することにより構成されていて、インナーロータ４を一方向に回転させると、シャッタ５がカートリッジ筐体２に設けた開口部６を閉じる第１の位置に移動し、インナーロータ４を他方向に回転させると、シャッタ５がカートリッジ筐体２の開口部６を解放する第２の位置に移動するようになっている。
【００１３】
カートリッジ筐体２は、上，下シェル２１，２２の周壁２１ａ，２２ａを突き合せることにより形成されていて、下シェル２２に前記開口部６が設けられている。上シェル２１の内面には、ディスクチャッキング部材７がディスクチャッキング部材押さえ８によって垂直方向に移動自在に取り付けられている。また、前記上シェル２１の内面には、前記ディスクチャッキング部材７の移動量を規制するディスクチャッキング部材移動規制リブ９が設けられている。
【００１４】
（２）ディスクチャッキング部材及びディスクチャッキング部材支持部（以下、ディスクチャッキング部材押さえと称する）の構成、
図５はディスクチャッキング部材７の分解斜視図、図６はディスクチャッキング部材７の斜視図、図７はディスクチャッキング部材７を底面側から見た分解斜視図、図８はディスクチャッキング部材７を底面側から見た斜視図、図９は図６のＡ−Ａ断面図である。
【００１５】
前記チャッキング部材７は、合成樹脂製の金属板ホルダー７１と、該金属板ホルダー７１の中央部に取付けられた磁性金属板７２と、で構成されている。
【００１６】
図９の断面図に示すように、合成樹脂製の金属板ホルダー７１は、中央部にターンテーブル２０１の中央部の軸部２０２の先端部を挿入する凹部７３を備え、該凹部７３の外周部に前記ディスク１０２の上面を押さえるディスク押圧部７４を備え、該ディスク押圧部７４の外周部に後に詳しく説明するチャッキング部材押さえ８に係合するフランジ部７５を備えている。
【００１７】
前記凹部７３の上面側には前記磁性金属板７２の底面が臨む円形の孔部７６が設けられている。前記円形の孔部７６を構成する円筒部７７の上面は、磁性金属板７２の支持面になっている。また、前記円筒部７７の下端は、円錐形状の傾斜面７８になっていて、前記ターンテーブル２０１の中央部の軸部２０２の先端部を挿入し易くなっている。前記ディスク押圧部７４の下面の外周部にはリング状の凸部７９が設けられていて該凸部７９でディスク３の上面を押さえるようになっている。
【００１８】
前記ディスク押圧部７４の上面には、前記磁性金属板７２を前記円筒部７７の上面に押付けた状態で固定するための軸状の突起８０が円形の孔部７６を中心とする同心円上に略９０°の角間隔をもって４個形成されている。また、前記４個の軸状の突起８０の外側にはこれら突起８０を囲むように環状の突起８１が設けられている。
【００１９】
次に、磁性金属板７２について説明する。磁性金属板７２は、鉄等の磁性金属板にニッケル等のメッキを施したもの或いはＳＵＳ４３０に代表される磁性ステンレス板によって形成されている。
【００２０】
前記磁性金属板７２は、円形の金属板にプレス加工を施すことにより所謂浅皿状に形成されていて、中央の円筒部７２ａ内に前記４個の軸状の突起８０が嵌まり込むようになっている。
【００２１】
前記磁性金属板７２の外周部７２ｂは、前記中央の円筒部７２ａよりも一段低いフランジ部になっていて、該フランジ部に前記軸状の突起８０を挿入する複数の突起嵌合孔７２ｃが設けられている。
【００２２】
前記磁性金属板７２は、前記合成樹脂製の金属板ホルダー７１の円形の孔部７６よりも大径で、且つ前記環状の突起８１よりも小径の円形状に形成されていて、該環状の突起８１内に遊嵌可能になっている。そして、前記突起嵌合孔７２ｃに前記軸状の突起８０の先端部を挿入して、該突起８０の先端部を前記磁性金属板７２の上面から突出させて頭部８３を形成することにより結合部８４が形成される。そして、前記結合部８４により磁性金属板７２は、前記円筒部７７の上面に押付けられた状態で、且つ前記金属板ホルダー７１のディスク押圧部７４の内面から浮き上がらせた状態に取付けられていて、前記磁性金属板７２が熱膨張等したときに前記前記軸状の突起８０が撓んで熱膨張等を吸収するようになっている。なお、前記磁性金属板７２は、段差を有しない単なるフラット状であっても良い。
【００２３】
図１０に示すように、ディスクチャッキング部材押さえ８は、ディスクチャッキング部材７のディスク押圧部７４よりも大径の孔８ａを中心部に有し、ディスクチャッキング部材７のフランジ部７５よりも大径に形成されたリング状の底面部８ｂと、この底面部８ｂの外周部に設けられた周壁部８ｃと、この周壁部８ｃの先端に設けられた鍔状固定部８ｄとを備えている。前記鍔状固定部８ｄの直径方向の対向位置には位置決め手段としての第１，第２の位置決めピン挿入孔８ｅ，８ｆとが設けられている。第１の位置決めピン挿入孔８ｅは、丸孔に形成され、第２の位置決めピン挿入孔８ｆは、長孔に形成されている。また、前記鍔状固定部８ｄの上シェル２１への取付面には溶着代（以下、溶着リブという）８ｇが設けられている。
【００２４】
前記ディスクチャッキング部材押さえ８の上シェル２１への取り付けは、先ず、図１１に示すように、ディスクチャッキング部材７のフランジ部７５を上シェル２１の第１の凹部２１ｐ内に載置する。次に、図１２に示すように、ディスクチャッキング部材押さえ８の鍔状固定部８ｄを上シェル２１の第２の凹部２１ｓに載置し、該第２の凹部２１ｓ上に設けた第１，第２の位置決めピン２１ｑ，２１ｒを前記鍔状固定部８ｄに設けた第１，第２の位置決めピン挿入孔８ｅ，８ｆに挿入し、ディスクチャッキング部材押さえ８を位置決めした状態で超音波振動を加えて前記溶着リブ８ｇの先端を溶融することにより、ディスクチャッキング部材押さえ８は、上シェル２１に溶着接合される。
【００２５】
次に、ディスクチャッキング部材７の作用について説明する。
【００２６】
ディスクチャッキング部材押さえ８を取り付けた上シェル２１を裏返して水平に置くと、図１３に示すように、ディスクチャッキング部材押さえ８のリング状の底面部８ｂにディスクチャッキング部材７のフランジ部７５が支持され、ディスクチャッキング部材７のディスク押圧部７４は、ディスクチャッキング部材押さえ８のリング状の底面部８ｂに設けた孔８ａから垂下する。この際に、ディスクチャッキング部材７のディスク押圧部７４の外周面７４ａは、円錐状に形成されているので前記ディスク押圧部７４は自ずと前記孔８ａの中央部にセンタリングされる。
【００２７】
ディスクチャッキング部材７のフランジ部７５の幅Ｄ１は、ディスクチャッキング部材押さえ８のリング状の底面部８ｂの幅Ｄ２よりも小幅に形成されているので、ディスクチャッキング部材７のフランジ部７５の外周面とディスクチャッキング部材押さえ８の周壁部８ｃの内周面とは非接触状態に保たれる。
【００２８】
そして、ディスクカートリッジ１を情報記録再生装置に装填すると、図１４に示すように、ディスク３は、ターンテーブル２０１のディスク載置部２０４上に載置されると共に、軸部２０２の先端部がディスクチャッキング部材７の凹部７３内に侵入し、ディスクチャッキング部材７をターンテーブル２０１に設けたマグネット２０３で磁気吸引して、ディスク３をターンテーブル２０１のディスク載置部２０４との間に挟み着けてチャッキングすると共に、ディスクチャッキング部材７のフランジ部７５をディスクチャッキング部材押さえ８の底面部８ｂと非接触状態にして、ディスク３及びディスクチャッキング部材７を回転フリーの状態にする。
【００２９】
（３）カートリッジ筐体の構成
カートリッジ筐体２は、上，下シェル２１，２２の周壁２１ａ，２２ａを突き合せることにより形成されている。
【００３０】
図１５に示すように、上シェル２１は、正面側が円弧形状とされた略四角形をなす薄い皿状部材からなり、外周縁部には周壁２１ａが設けられている。
【００３１】
上シェル２１は、内面の中央部に、ディスクチャッキング部材押さえ８の鍔状固定部８ｄの外径よりもやや大径で、かつ鍔状固定部８ｄの肉厚と略同じ深さのディスクチャッキング部材押さえ取付用の第１の凹部２１ｐを備えている。
【００３２】
前記第１の凹部２１ｐは、ディスクチャッキング部材押さえ８の鍔状固定部８ｄに設けた位置決め手段としての第１，第２の位置決めピン挿入孔８ｅ，８ｆに挿入する第１，第２の位置決めピン２１ｑ，２１ｒを備えている。第１，第２の位置決めピン２１ｑ，２１ｒは、ディスクチャッキング部材押さえ８と一体的に樹脂成型されている。また、前記第１の凹部２１ｐの内側には、ディスクチャッキング部材７のフランジ部７５が挿入される第２の凹部２１ｓが設けられている。前記第２の凹部２１ｓの中央部には略円錐台形状のディスクチャッキング部材移動規制部９が突出形成されている。前記ディスクチャッキング部材移動規制部９の中央部には、ディスクチャッキング部材７の凹部７ａの上面７ｄ側を挿入する凹部９ａが設けられている。
【００３３】
また、上シェル２１の周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００３４】
周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分のそれぞれには、次に説明する下シェル２２の第１の防塵壁１１ａの内側に重なり合って、第１の防塵壁１１ａと共に第１の塵埃侵入阻止部１１を構成する第１の防塵壁１１ｂが設けられている。
【００３５】
第２の防塵壁１１ｂの内側には、これと略同じ高さの円弧状リブ１４が、第２の防塵壁１１ｂの一端部から他端部に跨るように円弧状に形成されている。
【００３６】
円弧状リブ１４の内側には、リング状リブ１５が設けられている。このリング状リブ１５の内側は、ディスク３の収納部１６になっている。
【００３７】
リング状リブ１５の外側には、後に詳しく説明するインナーロータ４のリング部の先端が嵌合するリング状の凹部１７が設けられている。リング状の凹部１７の底面の前後対称位置（１８０°位相をずらした位置）にはインナーロータ４を下シェル２２から離間する方向に移動させるためのリフトアップ用の凸部１８が設けられている。リフトアップ用の凸部１８は、インナーロータ４のリング部４１の先端面に設けたインナーロータ側のリフトアップ用の凸部４６が乗り上げることにより、インナーロータ４を上シェル２１から離間する方向に移動させるようになっている。
【００３８】
図１６に示すように、下シェル２２は、上シェル２１と同様に正面側が円弧形状とされた略四角形をなす薄い皿状部材からなり、外周縁部には周壁２２ａが設けられている。
【００３９】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００４０】
周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、それぞれ上シェル２１の第２の防塵壁１１ｂの外側に重なり合って、第２の防塵壁１１ｂと共に第１の塵埃侵入阻止部１１を構成する第１の防塵壁１１ａが設けられている。
【００４１】
第１の防塵壁１１ａは、下シェル２２の周壁２２ａの先端から突出するように、下シェル２２の周壁２２ａの内面に重ね合わせた状態でこれと一体に形成されている。
【００４２】
図１７に示すように、第１の防塵壁１１ａの高さＨ１は、下シェル２２の周壁２２ａの高さＨ２に、上シェル２１の周壁２１ａの高さＨ３を加えた値（Ｈ１＝Ｈ２＋Ｈ３）の高さに形成されている。
【００４３】
第１の防塵壁１１ａの内側には、図１６に示すように、前記第１の防塵壁１１ａと略同じ高さの円弧状リブ１９が、第１の防塵壁１１ａの一端部から他端部に跨るように円弧状に形成されている。
【００４４】
下シェル２２の円弧状リブ１９…１９の内側は、インナーロータ４の肉厚方向の略半分及び一対のシャッタ５を収納する収納部になっている。
【００４５】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００４６】
そして、上，下シェル２１，２２を重ね合わせると、図１７に示すように、上シェル２１の第２の防塵壁１１ｂが下シェル２２の第１の防塵壁１１ａの内側面に０．１ｍｍ以上、０．５ｍｍ以下のクリアランスＣで重なり合って、第１の塵埃侵入阻止部１１が形成される。また、第１の塵埃侵入阻止部１１の内側（ディスク収納部側）においては、上シェル２１の円弧状リブ１４と下シェル２２の円弧状リブ１９が重なり合って、該部においても塵埃侵入阻止部が構成されている。
【００４７】
図１８に示すように、下シェル２２とシャッタ５の摺接面（接触面）には、シャッタ５が開口部６を閉じる第１の位置にある状態において、開口部６からディスク３側に塵埃が侵入するのを阻止するクランク状の第２の塵埃侵入阻止部１２が設けられている。
【００４８】
第２の塵埃侵入阻止部１２は、開口部６を囲むように下シェル２２に設けられたリブ状の凸部１２ａと、シャッタ５に設けられていて該シャッタ５が開口部６を閉じる第１の位置に移動してきたときに前記リブ状の凸部１２ａが嵌合する溝状の凹部１２ｂとで構成されている。
【００４９】
リブ状の凸部１２ａと溝状の凹部１２ｂの幅方向の端部は、傾斜面１２ｃになっていて、シャッタ５が開口部６を閉じている第１の位置から開口部６を解放する第２の位置に移動する際に、リブ状の凸部１２ａが溝状の凹部１２ｂから抜け出しやすくなっている。
【００５０】
また、下シェル２２とシャッタ５の摺接面の前記クランク状の第２の塵埃侵入阻止部１２よりも更に内側には、凹凸状の第３の塵埃侵入阻止部１３が設けられている。
【００５１】
図１６に示すように、下シェル２２には、中央部から前縁部２２ｂにかけて開口部６が設けられている。この開口部６は、ディスク回転駆動機構のターンテーブルと光学ピックアップ装置の光学ヘッドをディスク３に臨ませるためのもので、これらが自由に出入りできる広さに設定されている。
【００５２】
第２の塵埃侵入阻止部１２を構成するリブ状の凸部１２ａは、開口部６を囲むように平面視略Ｈ形状に、且つ略０．５ｍｍ程度の高さに形成されている。略Ｈ形状のリブ状の凸部１２ａの４つの端部には第１〜第４の背高部（閉塞部）１２ｄ〜１２ｇが設けられている。第１〜第４の背高部１２ｄ〜１２ｇは、リブ状の凸部１２ａの高さの４〜５倍程度の高さに形成されている。略Ｈ形状のリブ状の凸部１２ａの４端部は第１〜第４の背高部１２ｄ〜１２ｇを介して、前記円弧状リブ１９に接続されている。また、下シェル２２の内面には、後に説明する一対のシャッタ部材５ａ，５ｂの長孔５３に挿入されるボス状（円柱状）の凸部２０が設けられている。ボス状の凸部２０は、前記略Ｈ形状のリブ状の凸部１２ａを挟んでその両側部に１個づつ形成されている。
【００５３】
また、図３に示すように、上，下シェル２１，２２の一方の側縁部２１ｄ，２２ｄの略中央部には、インナーロータ４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｄ，２２ｄには、その接合面に沿って前後方向に延びるガイド溝３１が設けられている。このガイド溝３１は、ディスクカートリッジ１をディスク記録再生装置に装着する際の誤挿入防止等を目的として設けられたものである。このガイド溝３１には開口窓３０が連通されている。
【００５４】
図２に示すように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーロータ４の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００５５】
ロック部材３２は、支持軸３５に回動自在に嵌合されて平面方向へ揺動可能とされたレバー状部材によって形成されている。ロック部材３２の長手方向の一端にはストッパ部３６が設けられ、長手方向の他端には操作部３７が設けられている。更に、ロック部材３２には、ストッパ部３６と対向するよう同方向に突出されたバネ片３８が一体に設けられている。
【００５６】
前記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（４）ディスクの構成
ディスク３として、オーディオ情報としての音楽信号やビデオ情報としての映像信号及び音楽信号等の各種の情報信号が予め記録された再生専用型の光ディスク、或いは１度だけ記録可能（追記型）若しくは何度でも繰り返して記録可能（書換え型）とされた記録可能型の光ディスクが知られているが、実施例では記録可能型の光ディスク（以下、ディスクを単に光ディスクと称する）が使用されている。
【００５７】
図４に示すように、光ディスク３は、中央部にセンタ穴３ａが設けられた厚みの薄い円板状の記録部材からなる。
【００５８】
光ディスク３は、ディスクチャッキング部材７により記録再生装置のターンテーブル６７にチャッキングされて回転方向に一体化されて所定速度で回転される。
【００５９】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の内側であるディスクチャッキング部材７の外側に所定幅で設けられた内側の非記録領域２９ｂと、光ディスク３の外周縁に所定幅で設けられた外側の非記録領域２９ｂとからなる。
【００６０】
光ディスク３は、次に説明するインナーロータ４のリング部４１内に回転自在に収納される。なお、光ディスク３の基板の材質としては、例えば、ポリカーボネート（ＰＣ）、ポリオレフィン、ＰＭＭＡ（ポリメタクリレート）等の合成樹脂が好適であるが、合成樹脂以外でも、ガラス材やアルミニウム合金等の各種の材料を用いることができる。
【００６１】
ディスクとしては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００６２】
（５）インナーロータの構成
インナーロータ４は、図２に示すように、円盤状の薄い板材からなる平面部４０と、この平面部４０の外周縁に連続して設けられたリング部４１とを有している。インナーロータ４の平面部４０には、開口部４２が形成されている。この開口部４２は、下シェル２２の開口部６と形状及び大きさが略等しく形成されている。
【００６３】
リング部４１は、上シェル２１のリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。また、リング部４１の外周面には、周方向の所定範囲に亙って多数の歯を有するギア部４３が設けられている。このギア部４３は、インナーロータ４の回転角度よりも少々大きい角度範囲となるように設定されている。即ち、図２０に示すように、下シェル２２の開口部６に対してインナーロータ４の開口部４２が最大に傾いて、次に説明する一対のシャッタ部材５ａ，５ｂが完全に閉じた状態において、ギア部４３の周方向の一端が開口窓３０に露出される。また、図１９に示すように、インナーロータ４が所定角度回転して開口部４２と開口部６が重なり合った状態となり、一対のシャッタ部材５ａ，５ｂが完全に開いたときに、ギア部４３の周方向の他端が開口窓３０に露出される。
【００６４】
インナーロータ４のギア部４３の両側には、インナーロータ４の回転移動量を制限するストッパ部４４ａ，４４ｂが半径方向外側へ突出するように設けられている。
【００６５】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００６６】
図１９に示すように、インナーロータ４の開口部４２と下シェル２２の開口部６が重なり合った状態になると、ストッパ部４４ａの一端部が逃げ溝４５ａの一端部に設けたストッパ係合部４５ｃに係合してインナーロータ４の更なる回転を阻止する。また、図２０に示すように、インナーロータ４の開口部４２が下シェル２２の開口部６に対して最大に傾いた状態になると、ストッパ部４４ｂの一端部が開口部６の一端部に設けたストッパ係合部４５ｄに係合してインナーロータ４の更なる回転を阻止する。
【００６７】
更に、リング部４１の先端面には、周方向の２箇所にリフトアップ用の凸部４６が設けられている。これらインナーロータ側のリフトアップ用の凸部４６は、図２０に示すように、インナーロータ４の開口部４２が下シェル２２の開口部６に対して最大に傾いた状態において、図２７に示すように、上シェル２１のリング状の凹部１７内に設けたリフトアップ用の凸部１８に乗り上げるようになっている。  更に、インナーロータ４の平面部４０のリング部４１と反対側の面には、図４に示すように、一対のシャッタ部材５ａ，５ｂを平面方向へ回動自在に支持するための一対の支持軸４９，４９が設けられている。この一対の支持軸４９，４９は、開口部４２を中心にして点対称となるよう１個づつ設けられている。また、一対の支持軸４９，４９の近傍には、下シェル２２に設けた略Ｈ形状のリブ状の凸部１２ａと略同じ高さの台形状の嵌合解除用の凸部４８、４８が設けられている。これら嵌合解除用の凸部４８、４８は、シャッタ部材５ａ，５ｂが開口部６を閉じている図２０の位置（第１の位置）から開口部６を解放する図１９の位置（第２の位置）に移動する際に、リブ状の凸部１２ａを溝状の凹部１２ｂから抜き出すためのものである。
【００６８】
嵌合解除用の台形状の凸部４８、４８は、図２０に示す位置において、下シェル２２に設けた略Ｈ形状のリブ状の凸部１２ａの端部に設けた第２，第４の背高部１２ｅ，１２ｇの側方に位置している。
【００６９】
（６）シャッタの構成
図２１及び図２２に示すように、シャッタ５は、同一の形状及び大きさに形成された一対のシャッタ部材５ａ，５ｂによって構成されている。前記一対のシャッタ部材５ａ，５ｂは、略半円形をなす板体によって形成されている。各シャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。  かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ａ側の端部である軸組付部５０ｃには、軸受孔５２がそれぞれ設けられている。
【００７０】
シャッタ部材５ａ、５ｂの弦側辺の凹側接合部５０ｂ側の端部には、それぞれ下シェル２２の略Ｈ形状のリブ状の凸部１２ａの端部に設けた第２の背高部１２ｅ又は第４の背高部１２ｇを導入する切欠部５０ｄが設けられている。
【００７１】
前記軸受孔５２に平面部４０の支持軸４９を嵌合させることにより、各シャッタ部材５ａ，５ｂがインナーロータ４にそれぞれ回動自在に取り付けられる。この際、一対のシャッタ部材５ａ，５ｂは、互いの弦側辺を対向させて取り付けるようにする。その結果、図２３に示すように、一対のシャッタ部材５ａ、５ｂをそれぞれ外側へ離反させるように回動させたとき、各シャッタ部材５ａ，５ｂは、インナーローラ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図２４に示すように、開口部４２の中央部が一対のシャッタ部材５ａ，５ｂによって閉じられる。
【００７２】
更に、図２１〜図２３に示すように、シャッタ部材５ａ，５ｂの凹側接合部５０ｂ側には、このシャッタ部材５ａ，５ｂを開閉動作させるための長孔（開閉溝）５３がそれぞれ設けられている。各長孔５３は、それらが設けられているシャッタ部材５ａ，５ｂの軸受孔５２を中心に放射方向へ延びるように形成されている。この長孔５３には、下シェル２２のボス状の凸部２０が摺動可能に係合される。更に、各長孔５３の外側の端部には、周囲に切り込み５３ａを入れることによって形成された弾性片５４が設けられている。また、シャッタ部材５ａ，５ｂの円弧側辺には閉鎖用の凸片５５が設けられている。図２５に示すように、シャッタを閉じた状態において、前記シャッタ部材５ａの凸片５５は、下シェル２２の第１の背高部１２ｄに当接し、シャッタ部材５ｂの凸片５５は、下シェル２２の第３の背高部１２ｆに当接して、これらの間の隙間を塞ぐようになっている。
【００７３】
また、図２３、図２４に示すように、シャッタ部材５ａ，５ｂの下シェル２２との摺接面には、略Ｈ形状のリブ状の凸部１２ａと係合して、第２の塵埃侵入阻止部１２を構成する溝状の凹部１２ｂが設けられている。溝状の凹部１２ｂには、シャッタ部材５ａ，５ｂが開口部４２を閉じている状態において、下シェル２２のリブ状の凸部１２ａが嵌合するようになっている。また、第２の塵埃侵入阻止部１２の内側には、多数の凹凸部からなる第３の塵埃侵入阻止部１３が設けられている。
【００７４】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されたタイプの材料が好適である。しかしながら、その他の合成樹脂を適用できることは勿論のこと、アルミニウム合金、ステンレス鋼その他の金属材料を用いることもできる。
【００７５】
（７）ディスクカートリッジの作用
次に、ディスクカートリッジの作用をディスク記録再生装置の構成と共に説明する。ディスク記録再生装置２００は、図２５に示すように、中空の筐体からなる外装ケース２１１と、この外装ケース２１１内に収納された記録再生装置本体（図示省略）等を備えて構成されている。外装ケース２１１は、上面及び前面に開口されたケース本体２１２と、このケース本体２１２の上面を閉じるように上部に着脱可能に取り付けられたケース蓋体２１３と、ケース本体２１２及びケース蓋体２１３の前面を閉じるように前部に着脱可能に取り付けられた前面パネル２１４等を備えている。
【００７６】
ケース本体２１２の４箇所には、下方に突出する脚体２１２ａが設けられている。これらの脚体２１２ａによってディスク記録再生装置２００が支えられている。前面パネル２１４は、横長とされた板状部材からなり、その上部には横長のカートリッジ出入口２１５が設けられている。カートリッジ出入口２１５は、ディスクカートリッジ１の正面側の大きさ略同程度の大きさに形成されている。このカートリッジ出入口２１５は、その内側に配置された開閉扉２１６によって常時は閉じられている。
【００７７】
この開閉扉２１６をディスクカートリッジ１の前部で押圧し、所定の位置まで差し込む。これにより、図示しないローディング機構によってディスクカートリッジ１が自動的に取リ込まれる。そして、ローディング機構で搬送されたディスクカートリッジ１は、ディスク記録再生装置２００内の所定位置で位置決めされて固定される。これと同時に又は前後して、ディスク記録再生装置２００に設けられているシャッタ開閉機構によってシャッタ５が操作され、開口部６，４２が開放される。
【００７８】
ディスクカートリッジ１が所定の位置まで挿入されると、図２６に示すように、ディスク記録再生装置２００に内蔵されたシャッタ開閉機構のラック棒２２０が、ディスクカートリッジ１の一方の側面部に設けたガイド溝３１内に入り込む。これにより、ガイド溝３１内に突出されているロック部材３２の操作部３７が、バネ片３８の付勢力に抗してラック棒２２０の押圧力によりロック収納部３３内に押し込められる。更に、ラック棒２２０が相対的に前進することにより、そのギア部７０ａの先端がインナーロータ４のギア部４３に噛み合わされる。
【００７９】
このギア部４３がラック棒２２０のギア部７０ａに噛み合うことにより、ラック棒２２０の移動量に応じてインナーロータ４が回転される。
【００８０】
図２６は、ラック棒２２０のギア部２２０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６，４２の重複部分から塵埃がディスク収納部内に入り込む虞れがない。
【００８１】
更に、開口部６と開口部４２とが鋭角で接近している部分には、一対のシャッタ部材５ａ，５ｂの軸取付部５０ｃが介在されており、これら軸取付部５０ｃがリブ状の凸部１２ａの第２，第４の背高部１２ｅ，１２ｇの内側に位置して隙間を消滅させている。また、第１，第３の背高部１２ｄ，１２ｆの内側には閉鎖用の突片５５が介在されて隙間を消滅させている。更に、一対のシャッタ部材５ａ，５ｂに設けた長孔５３は、シャッタ部材５ａ，５ｂが重なっている下シェル２２によって閉じられている。更にまた、図２７Ａ及び図１８に示すように、開口部６を囲むように下シェル２２に設けた略Ｈ形状のリブ状の凸部１２ａがシャッタ部材５ａ，５ｂに設けた溝状の凹部１２ｂに嵌まり込んでクランク状の第２の塵埃侵入阻止部１２が形成されると共に、第２の塵埃侵入阻止部１２の内側にはシャッタ部材５ａ，５ｂに設けた多数の凹凸状の第３の塵埃侵入阻止部１３が形成されているので、開口部６，４２を介して塵埃がディスク収納部内に侵入するおそれが無い。
【００８２】
この状態から、ディスクカートリッジ１の挿入動作に対応してラック棒２２０がガイド溝３１内に入り込み、そのギア部２２０ａとインナーロータ４のギア部４３との噛み合いが開始されると、インナーロータ４が時計方向に回転される。この場合、インナーロータ４が回転動作を開始する初期状態では、図２６及び図２７Ａに示すように、インナーロータ４のリフトアップ用の凸部４６が上シェル２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図２７Ｂに示すように、リフトアップ用の凸部１８，４６相互の係合が外れ摩擦力が消滅する。そのため、これ以後のインナーロータ４の回転動作は、極めて軽く且つスムースに行うことができる。
【００８３】
インナーロータ４を回転により、インナーロータ４の底面に設けた嵌合解除用の台形状の凸部４８，４８が下シェル２２のリブ状の凸部１２ａの第１，第３の背高部１２ｄ，１２ｆに乗り上げて、下シェル２２に対してインナーロータ４が持ち上げられた状態になると共に、シャッタ部材５ａ，５ｂも上昇して、リブ状の凸部１２ａから溝状の凹部１２ｂが抜け出た状態になるのである。
【００８４】
このとき、シャッタ部材５ａ，５ｂの各軸受孔５２は、インナーロータ４の回転によって同様に回転される一方、他端側に設けた長孔５３には下シェル２２のボス状の凸部２０，２０がそれぞれ摺動可能に係合されている。この一対のボス状の凸部２０，２０は、下シェル２２に設けられていて移動することがない。その一方、長孔５３は、シャッタ部材５ａ，５ｂの回動に追従してボス状の凸部２０，２０との間に相対移動が可能なように軸受孔５２とボス状の凸部２０を結ぶ方向Ｓに延在されているので、シャッタ部材５ａ，５ｂの回動量に応じてボス状の凸部２０が長孔５３内を軸受孔５２側に相対移動する。これにより、各シャッタ部材５ａ，５ｂにおいて軸受孔５２が対応するボス状の凸部２０側に移動する。その結果、図２８の状態から、図２９、図３０及び図３１の状態を経て、図３２に示すように、各シャッタ部材５ａ，５ｂがインナーロータ４の開口部４２の両側部に移動する。これにより、上下の開口部６，４２が完全に開放される。そのため、ディスク収納部内に収納されている光デイスク３の一部が開口部６，４２によって露出される。
【００８５】
その結果、図１３に示すように、開口部６，４２に対するターンテーブル６７及び図示省略の光学ヘッドの挿入が可能となる。そこで、ターンテーブル６７等をディスクカートリッジ１側へ移動するか又はディスクカートリッジ１をターンテーブル６７側へ移動することにより、ターンテーブル２０１及び光学ヘッドが開口部６内に入り込む。その結果、図１４に示すように、ターンテーブル２０１のデイスク載置部２０４上に光ディスク３が載置されると共に、軸部２０２の先端部がディスクチャッキング部材７の凹部７３内に侵入し、ディスクチャッキング部材７を吸着して、ディスクチャッキング部材７とデイスク載置部２０４の間で光ディスク３を挟着（チャッキンング）し、光学ヘッドが所定の間隔を保持して光ディスク３の情報記録領域２９ａに対面される。これにより、ディスク記録再生装置２００による光ディスク３の情報記録領域２９ａに対する情報信号の再生又は記録が可能となる。
【００８６】
そこで、スピンドルモータの駆動によリターンテーブル２０１を介して光ディスク３を回転させると共に、光学ヘッドからレーザ光を出射して情報記録領域２９ａに予め記録されている情報信号を読み出し、又はその情報記録領域２９ａに対して新たな情報信号を書き込むことができる。これにより、記録再生装置本体２１２による情報信号の再生又は記録が実行される。
【００８７】
このようにして行われる情報信号の再生又は記録の後、例えば、ディスク記録再生装置２００に設けられるカートリッジ排出ボタン（図示せず）を操作することにより、ローディング機構の作動を介してディスクカートリッジ１がディスク記録再生装置２００から排出される。即ち、ローディング機構の排出動作によってディスクカートリッジ１がカートリッジ出入口２１５側に移動すると、相対的にラック棒２２０が後退動作される。
【００８８】
このラック棒２２０の後退動作により、インナーロータ４及び一対のシャッタ部材５ａ，５ｂが前述した挿入時とは逆の動作を実行する。即ち、図３２に示す一対のシャッタ部材５ａ，５ｂが完全に開いた状態から、インナーロータ４及び一対のシャッタ部材５ａ，５ｂが反時計方向に回動し、図３１、図３０及び図２９の状態を経て、図２８の状態に変化する。この図３１〜図２８の状態では、インナーロータ４のリフトアップ用の凸部４６は、下シェル２２のリフトアップ用の凸部１８と非接触状態にあるため、インナーロータ４を軽い力Ｆで回転させることができる。
【００８９】
次に、インナーロータ４が図２８の状態から図２６の状態に変化する際に、インナーロータ４のリフトアップ用の凸部４６が下シェル２２のリフトアップ用の凸部１８に乗り上げるため、これ以後、インナーロータ４の回動には前述した摩擦力が加えられる。一方、ボス状の凸部２０に対して長孔５３が最外側部まで移動し、弾性片５４に接触してこれを抑圧する。これにより、ボス状の凸部２０の押圧力によって弾性片５４にバネ力Ｘが発生する。この弾性片５４のバネ力Ｘによって中央の段部５０には、他方のシャッタ部材５ａ又は５ｂに作用する圧接力Ｙが発生する。
【００９０】
この圧接力Ｙは、一対のシャッタ部材５ａ，５ｂの両者に発生するため、互いの圧接力Ｙによって一対のシャッタ部材５ａ，５ｂの密閉性が更に高められる。従って、一対のシャッタ部材５ａ，５ｂの接合部における防塵性を向上させて、塵埃等がディスク収納部内に侵入するのをより効果的に防止することができる。
【００９１】
その後、ラック棒２２０のギア部２２０ａがギア部４３から外れた後、そのラック棒２２０が開口穴３４を通過することにより、ロック部材３２の操作部３７が開口穴３４からガイド溝３１内に突出される。これと同時に、ストッパ部３６が内側に移動してギア部４３に噛み合わされる。その結果、ロック部材３２によってインナーロータ４がロックされ、その回動が停止される。そして、図２３及び図２５に示すように、一対のシャッタ部材５ａ，５ｂによって開口部６，４２の全体が完全に閉じられる。
【００９２】
（８）他の実施例
前記実施例では、合成樹脂製の金属板ホルダー７１に４本の軸状の突起８０を設け、これら突起８０で磁性金属板７２を支持する構成にしたが、これは磁性金属板７２が熱膨張等した場合にも、突起８０の撓みにより磁性金属板７２の熱膨張等に容易に追従させるためであり、磁性金属板７２は、合成樹脂製の金属板ホルダー７１に所謂インサート成形、或いはアウトサート成形により取付けても良い。
【００９３】
【発明の効果】
本発明のディスクカートリッジには次に述べるような効果がある。
（１）請求項１の発明は、チャッキング部材を、合成樹脂製の金属板ホルダーと、該金属板ホルダーの中央部に取付けられた磁性金属板と、で構成したので、従来の全体を磁性金属板で形成したものに比べて軽量にできる。また、磁性金属板を必要最小限にすることにより、ターンテーブルのマグネットの磁力が作用する範囲を限定し、マグネットによるチャッキング力が分散するのを防止し、安定したチャッキング力を得ることができる。
（２）請求項２の発明は、合成樹脂製の金属板ホルダーに対して磁性金属板を非密着に膨張収縮可能に取付けたので、合成樹脂製の金属板ホルダーと磁性金属板の熱膨張係数の違いによるディスクチャッキング部材押さえの伸び縮みを吸収してディスクチャッキング部材押さえが反ったり変形したりするのを防止することができる。
（３）請求項３の発明は、合成樹脂製の金属板ホルダーの中央部に、記録再生装置のターンテーブルの軸部の先端部を挿入する凹部を設け、該凹部の外周部にシェルに設けたディスクの上面を押さえるディスク押圧部を設け、該ディスク押圧部の外周部にチャッキング部材支持部に係合するフランジ部を設けたので、これらを合成樹脂製の金属板ホルダーの樹脂成形時に一体に形成することができる。また、磁性金属板は、前記合成樹脂製の金属板ホルダーの凹部よりも大径で、且つディスク押圧部よりも小径に形成したので、回転時における遠心力を小さく抑えることができ、ディスクの面振れ等を抑制することができる。
（４）請求項４の発明は、記録再生装置のターンテーブルの軸部の先端部を挿入する合成樹脂製の金属板ホルダーの凹部の中央部に磁性金属板の底面が臨む孔部を設け、前記孔部を形成する円筒部の先端のディスク支持面で磁性金属板を支持すると共に、前記ディスク支持面よりも外側において結合部で結合したので、磁性金属板を合成樹脂製の金属板ホルダーに確実に取付けることができる。
（５）請求項５の発明は、前記結合部をディスク支持面よりも低い位置に形成したので、結合部がシェルに接触するのを防止することができる。
（６）請求項６の発明は、磁性金属板の外側に、該磁性金属板を囲むように環状の突起を設けたので、落下時等に強い衝撃が加わった場合でも磁性金属板の動きを規制して、磁性金属板を取付けている軸状の突起等が破損するのを防止することができる。
【図面の簡単な説明】
【図１】第１の実施例のディスクカートリッジを上面側から見た斜視図。
【図２】図１の分解斜視図。
【図３】第１の実施例のディスクカートリッジを下面側から見た斜視図。
【図４】図３の分解斜視図。
【図５】ディスクチャッキング部材の分解斜視図。
【図６】ディスクチャッキング部材の斜視図。
【図７】ディスクチャッキング部材を底面側から見た分解斜視図。
【図８】ディスクチャッキング部材を底面側から見た斜視図。
【図９】図６のＡ−Ａ断面図。
【図１０】ディスクチャッキング部材押さえの断面図。
【図１１】組付工程を示す断面図。
【図１２】組付工程を示す断面図。
【図１３】チャッキング前の断面図。
【図１４】チャッキング後の断面図。
【図１５】上シェルの内面側の平面図。
【図１６】下シェルの内面側の平面図。
【図１７】図１のＡ−Ａ断面図。
【図１８】図３のＢ−Ｂ断面図。
【図１９】下シェルにインナーロータを組み付けて両者の開口部の位置を合わせた状態の平面図。
【図２０】下シェルにインナーロータを組み付けて両者の開口部の位置をずらした状態の平面図。
【図２１】シャッタ部材を上面側から見た斜視図。
【図２２】シャッタ部材を下面側から見た斜視図。
【図２３】シャッタ部材をインナーロータに取り付けて開口部を開いた状態の斜視図。
【図２４】シャッタ部材をインナーロータに取り付けて開口部を閉じた状態の斜視図。
【図２５】ディスク記録再生装置の斜視図。
【図２６】カートリッジ筐体とシャッタ機構との動作関係を示し、シャッタ部材で開口部を完全に閉じた状態を示す説明図。
【図２７】（Ａ）はインナーロータのリフトアップ用の凸部が上シェルのリフトアップ用の凸部に乗り上げた状態を示す断面図、（Ｂ）はインナーロータと上シェルのリフトアップ用の凸部の係合が外れた状態を示す断面図。
【図２８】図２６の状態からインナーロータが少し回転して一対のシャッタ部材が少し開いた状態を示す説明図。
【図２９】図２７の状態からインナーロータが更に少し回転して一対のシャッタ部材が更に少し開いた状態を示す説明図。
【図３０】図２９の状態からインナーロータが更に回転して一対のシャッタ部材が更に開いた状態を示す説明図。
【図３１】図３２の状態からインナーロータが更に回転して一対のシャッタ部材が更に開いた状態を示す説明図。
【図３２】図３１の状態からインナーロータが更に回転して一対のシャッタ部材が完全に開いた状態を示す説明図。
【図３３】従来例の断面図。
【図３４】従来例の断面図。
【符号の説明】
１…ディスクカートリッジ、２…カートリッジ筐体、３…光ディスク（ディスク）、４…インナーロータ、５…シャッタ機構、６…開口部、７…ディスクチャッキング部材、８…ディスクチャッキング部材押さえ、２１…上シェル、２２…下シェル、７１…合成樹脂製の金属板ホルダー、７２…磁性金属板、７３…凹部、７４…ディスク押圧部、７５…フランジ部、８０…軸状の突起、８１…環状の突起、８２…突起嵌合孔、８３…頭部、８４…結合部。
【図１】
2004348885.tif 000003
【図２】
2004348885.tif 000004
【図３】
2004348885.tif 000005
【図４】
2004348885.tif 000006
【図５】
2004348885.tif 000007
【図６】
2004348885.tif 000008
【図７】
2004348885.tif 000009
【図８】
2004348885.tif 000010
【図９】
2004348885.tif 000011
【図１０】
2004348885.tif 000012
【図１１】
2004348885.tif 000013
【図１２】
2004348885.tif 000014
【図１３】
2004348885.tif 000015
【図１４】
2004348885.tif 000016
【図１５】
2004348885.tif 000017
【図１６】
2004348885.tif 000018
【図１７】
2004348885.tif 000019
【図１８】
2004348885.tif 000020
【図１９】
2004348885.tif 000021
【図２０】
2004348885.tif 000022
【図２１】
2004348885.tif 000023
【図２２】
2004348885.tif 000024
【図２３】
2004348885.tif 000025
【図２４】
2004348885.tif 000026
【図２５】
2004348885.tif 000027
【図２６】
2004348885.tif 000028
【図２７】
2004348885.tif 000029
【図２８】
2004348885.tif 000030
【図２９】
2004348885.tif 000031
【図３０】
2004348885.tif 000032
【図３１】
2004348885.tif 000033
【図３２】
2004348885.tif 000034
【図３３】
2004348885.tif 000035
【図３４】
2004348885.tif 000036